(57)【要約】  本発明は、複数のコアネットワーク（ＣＮ）オペレータ間に共有される無線アクセスネットワーク（ＲＡＮ）を持つネットワーク共有（ＮＳ）システムにおいて、ＲＡＮのサービング無線網制御器（ＳＲＮＣ）を端末機（ＵＥ）に再割り当てする方法に関するものである。ソースＲＮＣからターゲットＲＮＣに端末機に対するＳＲＮＣ再割り当てが決定されれば、ソースＲＮＣはターゲットＲＮＣにターゲットＲＮＣを共有するＣＮオペレータの識別子を含むコアネットワークオペレータ識別子リストを要請する。ソースＲＮＣはターゲットＲＮＣからコアネットワークオペレータ識別子リストを受信する。ソースＲＮＣは、端末機から多重識別子リストの中から選択されたＣＮオペレータ識別子を受信すれば、選択されたＣＮオペレータ識別子に対応するＣＮオペレータを選択し、ＳＲＮＣ再割り当てを遂行する。
2008523701.tif 000002
【特許請求の範囲】
【請求項１】
複数のコアネットワークオペレータ間に共有される無線アクセスネットワーク（ＲＡＮ）を持つネットワーク共有システムにおいて、端末機の無線資源を制御する前記無線アクセスネットワーク内のサービング無線網制御器（ＳＲＮＣ）を再割り当てする方法であって、
前記端末機のＳＲＮＣをソースＲＮＣからターゲットＲＮＣに再割り当てすることが決定されれば、前記ターゲットＲＮＣを共有するコアネットワークオペレータのコアネットワークオペレータ識別子を前記ターゲットＲＮＣに要請する過程と、
前記ターゲットＲＮＣから前記コアネットワークオペレータ識別子リストを受信する過程と、
前記コアネットワークオペレータ識別子リストを前記端末機に提供する過程と、
前記ソースＲＮＣが前記端末機から前記コアネットワークオペレータ識別子リストから選択されたコアネットワークオペレータ識別子を受信し、前記選択されたコアネットワークオペレータ識別子に対応するコアネットワークオペレータを選択してＳＲＮＣ再割り当てを遂行する過程と
を含むことを特徴とするＳＲＮＣ再割り当て方法。
【請求項２】
前記コアネットワークオペレータ識別子は、
ＰＬＭＮ（Public Land Mobile Network）識別子を含むことを特徴とする請求項１記載のＳＲＮＣ再割り当て方法。
【請求項３】
前記コアネットワークオペレータ識別子を要請する過程は、
前記ターゲットＲＮＣに前記端末機の識別子を含むリスト要請メッセージを伝送することを特徴とする請求項１記載のＳＲＮＣ再割り当て方法。
【請求項４】
前記コアネットワークオペレータ識別子リストを受信する過程は、
前記ターゲットＲＮＣから前記端末機の識別子と前記端末機のターゲットセルからブロードキャストされているコアネットワークオペレータ識別子を含むコアネットワークオペレータ識別子リストを含むリスト応答メッセージを受信することを特徴とする請求項１記載のＳＲＮＣ再割り当て方法。
【請求項５】
前記コアネットワークオペレータ識別子リストを提供する過程は、
前記コアネットワークオペレータ識別子リストを含む有効識別子指示メッセージを専用制御チャネルを通じて前記端末機に伝送することを特徴とする請求項１記載のＳＲＮＣ再割り当て方法。
【請求項６】
前記選択されたコアネットワークオペレータ識別子を受信する過程は、
前記端末機から前記選択されたコアネットワークオペレータ識別子を含む選択識別子指示メッセージを専用制御チャネルを通じて受信することを特徴とする請求項１記載のＳＲＮＣ再割り当て方法。
【請求項７】
複数のコアネットワークオペレータ間に共有される無線アクセスネットワークを持つネットワーク共有システムにおいて、端末機の無線資源を制御する前記無線アクセスネットワーク（ＲＡＮ）のサービング無線網制御器（ＳＲＮＣ）を再割り当てするための端末機の動作方法であって、
ソースＲＮＣからターゲットＲＮＣへの再割り当てが決定されれば、前記ソースＲＮＣから前記ターゲットＲＮＣを共有するコアネットワークオペレータ識別子を受信する過程と、
前記コアネットワークオペレータ識別子の中からコアネットワークオペレータ識別子を選択する過程と、
前記選択されたコアネットワークオペレータ識別子を前記ソースＲＮＣに伝送してＳＲＮＣ再割り当てを遂行する過程と
を含むことを特徴とするＳＲＮＣ再割り当て方法。
【請求項８】
前記コアネットワークオペレータ識別子は、
ＰＬＭＮ（Public Land Mobile Network）識別子を含むことを特徴とする請求項７記載のＳＲＮＣ再割り当て方法。
【請求項９】
前記コアネットワークオペレータ識別子を受信する過程は、前記ソースＲＮＣから前記コアネットワークオペレータリストを含む有効識別子指示メッセージを専用制御チャネルを通じて受信することを特徴とする請求項７記載のＳＲＮＣ再割り当て方法。
【請求項１０】
前記選択されたコアネットワークオペレータ識別子を伝送する過程は、
前記選択されたコアネットワークオペレータ識別子を含む選択識別子指示メッセージを専用制御チャネルを介して前記ソースＲＮＣに伝送することを特徴とする請求項７記載のＳＲＮＣ再割り当て方法。
【請求項１１】
複数のコアネットワークオペレータ間に共有される無線アクセスネットワーク（ＲＡＮ）を持つネットワーク共有システムにおいて、前記無線アクセスネットワークのサービング無線網制御器（ＳＲＮＣ）を再割り当てするためのシステムであって、
コアネットワークオペレータ識別子リストのコアネットワークオペレータ識別子の中で、希望するコアネットワークオペレータ識別子を選択する端末機と、
前記端末機のＳＲＮＣをターゲットＲＮＣに再割り当てすることが決定されれば、前記ターゲットＲＮＣに、前記ターゲットＲＮＣを共有するコアネットワークオペレータのコアネットワークオペレータ識別子リストを要請し、前記ターゲットＲＮＣから前記コアネットワークオペレータ識別子リストを受信し、前記端末機に前記コアネットワークオペレータ識別子リストを提供するように構成されるソースＲＮＣを含んで構成され、
前記多重識別子リストに属するコアネットワークオペレータ識別子の中で、コアネットワークオペレータ識別子を選択し、前記選択されたコアネットワークオペレータ識別子を前記ソースＲＮＣに伝送するように構成される端末機を含み、
前記ソースＲＮＣは、前記端末機から前記多重識別子リストの中から選択されたコアネットワークオペレータ識別子を受信し、前記選択されたコアネットワークオペレータ識別子に対応するコアネットワークオペレータを選択してＳＲＮＣ再割り当てを遂行するように構成されることを特徴とするＳＲＮＣ再割り当てのためのシステム。
【請求項１２】
前記コアネットワークオペレータ識別子は、
ＰＬＭＮ（Public Land Mobile Network）識別子を含むことを特徴とする請求項１１記載のＳＲＮＣ再割り当てのためのシステム。
【請求項１３】
前記ソースＲＮＣは、
前記ターゲットＲＮＣに前記端末機の識別子を含むリスト要請メッセージを伝送することを特徴とする請求項１１記載のＳＲＮＣ再割り当てのためのシステム。
【請求項１４】
前記ソースＲＮＣは、
前記ターゲットＲＮＣから、前記端末機の識別子と前記端末機のターゲットセルでブロードキャストされているコアネットワークオペレータ識別子を含む前記コアネットワーク識別子リストを含むリスト応答メッセージを受信することを特徴とする請求項１１記載のＳＲＮＣ再割り当てのためのシステム。
【請求項１５】
前記ソースＲＮＣは、
前記端末機に前記コアネットワークオペレータ識別子リストを含む有効識別子指示メッセージを専用制御チャネルを介して伝送することを特徴とする請求項１１記載のＳＲＮＣ再割り当てのためのシステム。
【請求項１６】
前記ソースＲＮＣは、前記選択されたコアネットワークオペレータ識別子を含む選択識別子指示メッセージを専用制御チャネルを介して前記端末機に伝送することを特徴とする請求項１１記載のＳＲＮＣ再割り当てのためのシステム。
【発明の詳細な説明】
【技術分野】
【０００１】
本発明は、ネットワークを共有する（Network Sharing；以下、ＮＳと称する）システムに関し、特に、ネットワークを共有するシステムにおいて、サービング無線網制御器（Serving Radio Network Controller；以下、ＳＲＮＣと称する）を再割り当てする方法及び装置に関する。
【背景技術】
【０００２】
移動通信システムは、基本的に無線アクセスネットワーク（Radio Access Network；以下、ＲＡＮと称する）とユーザ端末（User Equipment；以下、ＵＥと称する）から構成される。無線アクセスネットワークは、基本的に基地局を含んで構成され、コアネットワーク（Core Network；以下、ＣＮと称する）を通じて他のネットワークに連結される。互いに異なる無線アクセス技術を使用したり、互いに異なるオペレータにより運営されたりする無線アクセスネットワークは、同一なＣＮオペレータまたは互いに異なるＣＮオペレータにより運営される複数のＣＮに接続されることができる。ここで、互いに異なるＣＮオペレータ間に無線アクセスネットワーク（ＲＡＮ）を共有する構造をネットワーク共有（ＮＳ）と称する。
【０００３】
具体的に、符号分割多重接続（Code Division Multiple Access；以下、ＣＤＭＡと称する）技術を使用するセルラー移動通信システムの無線アクセスネットワークは、基地局送受信機（Base Transceiver Subsystem；以下、ＢＴＳと称する）と基地局制御器（Base Station Controller）から構成され、移動交換局（Mobile Switching Center；以下、ＭＳＣと称する）から構成されたＣＮに接続される。他の場合、ＧＳＭ（Global System for Mobile Communications）を基盤とするＷＣＤＭＡ（Wideband CDMA）、即ちＵＭＴＳシステムの無線アクセスネットワークは、ノードＢ（Node B）と無線網制御器（Radio Network Controller；以下、ＲＮＣと称する）から構成され、サービングパケット無線サービス支援ノード（Serving GPRS（General Packet Radio Service）Support Node；以下、ＳＧＳＮと称する）とゲートウェイパケット無線サービス支援ノード（Gateway GPRS（General Packet Radio Service）Support Node；以下、ＧＧＳＮと称する）から構成されたＣＮに接続される。
【０００４】
ＣＮオペレータは、ＰＬＭＮ（Public Land Mobile Network）識別子（identity：id）により区別され、ＰＬＭＮ ｉｄは、ＭＣＣ（Mobile Country Code）とＭＮＣ（Mobile Network Code）との組合せにより構成される。端末機は、ネットワークの制御下に、または自律的に、希望する適切なＣＮオペレータに該当するＰＬＭＮ ｉｄを選択する。端末機が選択したＣＮにアクセスするために、端末機は接続した無線アクセスネットワーク、特にＲＮＣで選択されたＣＮオペレータを表すＰＬＭＮ ｉｄを通知する。
【０００５】
ＵＭＴＳシステムでは、端末機が最初にＲＲＣ連結を設定したＲＮＣをサービングＲＮＣ（Serving RNC；以下、ＳＲＮＣと称する）と称する。端末機がセル間の移動を通じて他のＲＮＣによりカバーされるセルに移動することになれば、端末機は、他のＲＮＣを通じてＳＲＮＣに接続することになり、他のＲＮＣはドリフトＲＮＣ（Drift RNC；以下、ＤＲＮＣ）と称する。ＳＲＮＣは、端末機の無線資源を制御し、端末機が選択したＣＮをアクセスする等、端末機を主導的に制御する。特に、ＳＲＮＣは、端末機が選択したＣＮにルーティングするために、ＰＬＭＮ ｉｄを通じて、端末機が選択したＣＮを識別する。ＤＲＮＣは、端末機に対する制御権限を持たず、ＳＲＮＣと端末機との間でメッセージを中継（relay）する。
【０００６】
ＳＲＮＣ再割り当て手続は、ＲＡＮからＣＮまでのアクセスポイント（ＡＰ）をソースＲＮＣからターゲットＲＮＣに移す手続である。ＳＲＮＣ再割り当て手続が遂行されればソースＲＮＣは端末機に対する制御権限を失うことになり、ターゲットＲＮＣが新たなＳＲＮＣになる。ＳＲＮＣ再割り当て手続は、コントロールシグナリングとユーザデータを伝送するＩｕｒインターフェースを持っているＰＭＭ（Packet Mobility Management）‐CONNECTED状態にある端末機のみのために遂行される。仮に、ＳＲＮＣ再割り当て手続がＳＧＳＮ内で発生すれば、これはターゲットＲＮＣとソースＲＮＣが同一のＳＧＳＮの制御下にあるということを意味し、ＳＧＳＮ内（intra-SGSN）のＳＲＮＣ再割り当てが遂行され、そうでなければ、ＳＧＳＮ間（inter-SGSN）のＳＲＮＣ再割り当てが遂行される。
【０００７】
ネットワーク共有（ＮＳ）システムにおいて、ＳＲＮＣ再割り当てが生じる場合、ターゲットＲＮＣからブロードキャストされるＰＬＭＮ ｉｄは、ソースＲＮＣで端末機が選択したＰＬＭＮ ｉｄの他のＰＬＭＮ ｉｄを更に含むことができ、ターゲットＲＮＣのブロードキャストされるＰＬＭＮ ｉｄの中には端末機がソースＲＮＣから選択したＰＬＭＮ ｉｄより高い優先順位にあるＰＬＭＮ ｉｄが存在することができる。このような場合に従来技術によるＳＲＮＣ再割り当ては、ソースＲＮＣで端末機が選択したＣＮオペレータとターゲットＲＮＣとの間の連結が設定される際、端末機がターゲットＲＮＣ内でより高い優先順位のＣＮオペレータと連結できないという問題点を有することになる。
したがって、ネットワークを共有するシステムにおいて、ＳＲＮＣを再割り当てした後、端末機とＣＮオペレータとの連結のための改善された方法及び装置が必要である。
【発明の開示】
【発明が解決しようとする課題】
【０００８】
したがって、前述したように動作する従来技術の問題点を解決するために発案した本発明は、ソースＲＮＣでＳＲＮＣ再割り当てが遂行される前にターゲットＲＮＣにターゲットセルでブロードキャストされるＰＬＭＮ ｉｄを要請する方法及びシステムを提供する。
本発明は、ターゲットＲＮＣから伝送されたＰＬＭＮ ｉｄを端末機に伝送し、ソースＲＮＣでの端末機から選択されたＰＬＭＮ ｉｄを受信されてターゲットＣＮオペレータに対してＳＲＮＣ再割り当てを遂行する方法及びシステムを提供する。
本発明は、複数のＣＮオペレータ間に共有される無線アクセスネットワーク（ＲＡＮ）を持つネットワーク共有システムにおいて、ＳＲＮＣを再割り当てする方法及びシステムを提供する。
【課題を解決するための手段】
【０００９】
本発明の好ましい実施形態は、複数のコアネットワークオペレータ間に共有される無線アクセスネットワーク（ＲＡＮ）を持つネットワーク共有システムにおいて、端末機の無線資源を制御する無線アクセスネットワーク内のサービング無線網制御器（ＳＲＮＣ）を再割り当てする方法であって、端末機のＳＲＮＣをソースＲＮＣからターゲットＲＮＣに再割り当てすることが決定されれば、ターゲットＲＮＣを共有するコアネットワークオペレータのコアネットワークオペレータ識別子をターゲットＲＮＣに要請する過程と、ターゲットＲＮＣからコアネットワークオペレータ識別子リストを受信する過程と、コアネットワークオペレータ識別子リストを端末機に提供する過程と、ソースＲＮＣが端末機からコアネットワークオペレータ識別子リストから選択されたコアネットワークオペレータ識別子を受信し、選択されたコアネットワークオペレータ識別子に対応するコアネットワークオペレータを選択してＳＲＮＣ再割り当てを遂行する過程とを含むことを特徴とする。
【００１０】
本発明の他の実施形態は、複数のコアネットワークオペレータ間に共有される無線アクセスネットワークを持つネットワーク共有システムにおいて、端末機の無線資源を制御する無線アクセスネットワーク（ＲＡＮ）のサービング無線網制御器（ＳＲＮＣ）を再割り当てするための端末機の動作方法であって、ソースＲＮＣからターゲットＲＮＣへの再割り当てが決定されれば、ソースＲＮＣからターゲットＲＮＣを共有するコアネットワークオペレータ識別子をソースＲＮＣから受信する過程と、コアネットワークオペレータ識別子の中からコアネットワークオペレータ識別子を選択する過程と、選択されたコアネットワークオペレータ識別子をソースＲＮＣに伝送してＳＲＮＣ再割り当てを遂行する過程とを含むことを特徴とする。
【００１１】
本発明の更に他の実施形態は、複数のコアネットワークオペレータ間に共有される無線アクセスネットワーク（ＲＡＮ）を持つネットワーク共有システムにおいて、無線アクセスネットワークのサービング無線網制御器（ＳＲＮＣ）を再割り当てするためのシステムであって、コアネットワークオペレータ識別子リストのコアネットワークオペレータ識別子の中で、希望するコアネットワークオペレータ識別子を選択する端末機と、端末機のＳＲＮＣをターゲットＲＮＣに再割り当てすることが決定されれば、ターゲットＲＮＣに、ターゲットＲＮＣを共有するコアネットワークオペレータのコアネットワークオペレータ識別子リストを要請し、ターゲットＲＮＣからコアネットワークオペレータ識別子リストを受信し、端末機にコアネットワークオペレータ識別子リストを提供するように構成されるソースＲＮＣを含んで構成され、多重識別子リストに属するコアネットワークオペレータ識別子の中で、コアネットワークオペレータ識別子を選択し、選択されたコアネットワークオペレータ識別子をソースＲＮＣに伝送するように構成される端末機を含み、ソースＲＮＣは、端末機から多重識別子リストの中から選択されたコアネットワークオペレータ識別子を受信し、選択されたコアネットワークオペレータ識別子に対応するコアネットワークオペレータを選択してＳＲＮＣ再割り当てを遂行するように構成されることを特徴とするＳＲＮＣ再割り当てのためのシステム。
【発明の効果】
【００１２】
以上、前述したように動作する本発明において、開示される発明の中で、代表的なものにより得られる効果を簡単に説明すれば次の通りである。
本発明は、端末機のサービング無線網制御器（ＳＲＮＣ）を再割り当てすることになる場合に、ソースＲＮＣは、ターゲットＲＮＣで有効なＣＮオペレータを表す多重ＰＬＭＮリストを端末機に予め提供することで、ＳＲＮＣ再割り当てが遂行された以後に端末機に対して有効なコアオペレータをＳＲＮＣ再割り当ての前に予め選択できる効果がある。これで、端末機はＳＲＮＣ再割り当てが生じる場合にもターゲットＲＮＣを通じて最も適したＣＮオペレータに接続することができる。
【発明を実施するための最良の形態】
【００１３】
以下、添付の図面に基づき、本発明の好適な実施形態についての動作原理を詳細に説明する。なお、本発明を説明するに当たり、関連のある公知の技術あるいは構成についての具体的な説明が本発明の要旨を余計に曖昧にする恐れのあると認められる場合、その詳細な説明は省かれる。さらに、後述する用語は本発明における機能を考慮して定義された用語であり、これらはユーザ、運用者の意図または慣例などによって変わることがある。よって、これらの用語の定義は、この明細書の全般に亘っての内容に基づいて行われるべきである。
【００１４】
後述する本発明の主な要旨は、無線アクセスネットワーク（ＲＡＮ）が互いに異なるＣＮオペレータにより共有されるネットワーク共有（ＮＳ）システムにおいて、ＳＲＮＣ再割り当てを遂行するものである。具体的に、ＳＲＮＣ再割り当てが遂行される前にソースＲＮＣはターゲットＲＮＣの端末機が選択するＰＬＭＮ ｉｄを予め知って上記選択されたＰＬＭＮ ｉｄに該当するＣＮオペレータに対してＳＲＮＣ再割り当てを遂行する。そうすると、ＳＲＮＣ再割り当てにより、ターゲットＲＮＣは端末機を選択したＰＬＭＮ ｉｄに該当するＣＮオペレータに連結することになる。
【００１５】
ＮＳシステムにおいて、ターゲットＲＮＣを共有しているＣＮオペレータは、ソースＲＮＣを共有しているＣＮオペレータと異なることができる。ＳＲＮＣ再割り当て遂行が決定されれば、ソースＲＮＣはＳＲＮＣ再割り当て手続を遂行する前にターゲットＲＮＣに属するターゲットセルからブロードキャストされているＰＬＭＮ ｉｄを含む多重ＰＬＭＮリストを専用チャネルを介して端末機に提供する。端末機がＰＬＭＮ ｉｄ中の１つを選択し、選択されたＰＬＭＮ ｉｄをソースＲＮＣに報告すれば、ソースＲＮＣはターゲットＲＮＣのターゲットセルで端末機のために連結するＣＮオペレータを決定する。
【００１６】
図１は、互いに異なるＣＮオペレータが無線アクセスネットワーク（ＲＡＮ）を共有するネットワーク共有（ＮＳ）システムの構造を示す図である。ここでは、第３世代の非同期移動通信方式の標準である３ＧＰＰ（3rd Generation Partnership Project）を基盤とするネットワーク構造を示すが、本発明がこのような構造に限定されないことは勿論であり、無線アクセスネットワークが複数のＣＮオペレータにより共有される全ての種類の技術分野に適用できることは自明である。
【００１７】
図１を参照すれば、サービス領域（service coverage）であるセル１２２をカバーする無線アクセスネットワーク（ＲＡＮ）１２０は、無線網制御器（Radio Network Controller；以下、ＲＮＣと称する）、または基地局制御器（Base Station Controller；以下、ＢＳＣと称する）から構成され、無線アクセスネットワーク（ＲＡＮ）１２０は、Ｉｕインターフェース及び／またはＡ／Ｇｂインターフェースを通じて移動交換局（Mobile Switching Center；以下、ＭＳＣと称する）、またはサービングパケット無線サービス支援ノード（Serving GPRS（General Packet Radio Service）Support Node；以下、ＳＧＳＮと称する）から構成されるＣＮノード（１１２、１１４、１１６）に接続される。図示してはいないが、３ＧＰＰの場合、ＣＮノードはゲートウェイパケット無線サービス支援ノード（Gateway GPRS（General Packet Radio Service）Support Node；以下、ＧＧＳＮと称する）を更に含む。
【００１８】
互いに異なるＣＮオペレータ１０２、１０４、１０６（ぞれぞれ、ＣＮオペレータＡ、Ｂ、Ｃ）は、ＭＳＣ／ＳＧＳＮ１１２−１１６を共有し、またＲＡＮ１２０はＣＮオペレータＸに属し、かつ、コアオペレータ１０２、１０４、１０６の間に共有される。共有されているＲＡＮ１２０は、セル１２２で設定されたＢＣＣＨ（Broadcast Control Channel）を介してシステム情報を伝送することにより、セル１２２に属したＣＮオペレータＸのＰＬＭＭ ｉｄのみならず、ＣＮオペレータ１０２、１０４、１０６のＰＬＭＮ ｉｄの全てをリストアップした多重ＰＬＭＮリストを端末機１３０に伝送する。端末機１３０は、ＡＳ（Access Stratum）階層、またはＮＡＳ（Non Access Stratum）階層により適した１つのＰＬＭＮ ｉｄを選択する。ここで、ＡＳ階層はＲＮＣと端末機との間のＵｕインターフェースに関連したプロトコルを担当し、ＮＡＳ階層はＡＳ階層の上位であって、端末機とＣＮとの間のインターフェースに関連したプロトコルを担う。
【００１９】
図２は、本発明に適用できるＳＲＮＣ再割り当てのためのシグナリングフローの一例を示す図である。ＳＲＮＣ再割り当てのシグナリングフローは、ＳＲＮＣ再割り当て状況によって可変されることができ、ここでは、代表的な手続を図示している。図示された手続はＳＧＳＮ内のＳＲＮＣ再割り当てとＳＧＳＮ間のＳＲＮＣ再割り当てに共に適用されることができる。ここで、ソースＲＮＣはＳＲＮＣ再割り当て手続が遂行される前の元のＳＲＮＣを意味し、ターゲットＲＮＣは端末機が移動しようとするターゲットセルをカバーするＲＮＣである。ここで、ソースＲＮＣが接続されたＳＧＳＮを既存（Old）ＳＧＳＮと称し、ターゲットＲＮＣが接続されたＳＧＳＮを新規（New）ＳＧＳＮと称する。ＳＧＳＮ内のＳＲＮＣ再割り当ての場合、既存ＳＧＳＮと新規ＳＧＳＮは同一であり、既存ＳＧＳＮと新規ＳＧＳＮとの間の信号の流れは省略することができる。既存ＳＧＳＮと新規ＳＧＳＮは全てＧＧＳＮを介して他のネットワークに連結される。
【００２０】
図２を参照すれば、ステップ２０２で、ソースＲＮＣはＳＲＮＣ再割り当てを遂行することを決定する。ステップ２０４で、ソースＲＮＣは、既存ＳＧＳＮに再割り当て要請（Relocation Required）メッセージを伝送する。再割り当て要請メッセージは、既存ＳＧＳＮにＳＲＮＣ再割り当てを要請するメッセージであって、ターゲットＲＮＣ ｉｄとＳＲＮＣ再割り当ての対象となる端末機などに対する情報を含んでいる。既存ＳＧＳＮは、ターゲットＲＮＣ ｉｄを確認して、ターゲットＲＮＣ ｉｄが既存ＳＧＳＮの制御下にあるか否かを判断する。仮に、ターゲットＲＮＣが新規ＳＧＳＮの制御下にある時、ステップ２０６で、既存ＳＧＳＮは新規ＳＧＳＮに順方向再割り当て要請（Forward Relocation Request）メッセージを伝送してＳＲＮＣ再割り当てのための資源割り当て手続（Resource allocation procedure）を始める。順方向再割り当て要請メッセージは、端末機のＩＭＳＩ（International Mobile Station Identifier）、シグナリングの終端点指示子（End Pointer）ｉｄ、ＭＭ（Mobility Management）コンテキスト、ＰＤＰ（Packet Data Protocol）コンテキスト、ターゲットＲＮＣ ｉｄなどを含む。ステップ２０８ａで、ターゲットＲＮＣと新規ＳＧＳＮとの間にラジオアクセスベアラー（Radio Access Bearer：ＲＡＢ）が設定され、ステップ２０８ｂで、ターゲットＲＮＣは、順方向再割り当て要請メッセージに応答して再割り当て要請（Relocation Request）メッセージを新規ＳＧＳＮに伝送する。再割り当て要請メッセージは、端末機ｉｄ、ＣＮドメインｉｄ、ＲＡＢ情報などを含む。
【００２１】
ステップ２１０で、新規ＳＧＳＮは、新規ＳＧＳＮとターゲットＲＮＣとの間にユーザデータ伝送のための資源が割り当てられ、新規ＳＧＳＮがＳＲＮＣ再割り当てを遂行するための準備ができたことを既存ＳＧＳＮに知らせるための順方向再割り当て応答（Forward Relocation Response）メッセージを既存ＳＧＳＮに伝送する。順方向再割り当て応答メッセージは、 ＲＡＢ設定情報などを含む。順方向再割り当て応答メッセージはまたターゲットＲＮＣがソースＲＮＣからフォワーディングされるダウンリンクデータを受信する準備ができたことを意味する。ステップ２１２で、既存ＳＧＳＮは、ソースＲＮＣに再割り当て命令（Relocation Command）メッセージを伝送してターゲットＲＮＣにデータをフォワーディングすることを指示した後、ステップ２１４で、データフォワーディングを遂行する。ステップ２１６で、ソースＲＮＣは、再割り当て委任（Relocation commit）メッセージを通じて端末機の無線資源を制御するために必要とする情報を含んでいるＳＲＮＣコンテキストをターゲットＲＮＣに伝送し、ＳＲＮＣの役割（role）をソースＲＮＣからターゲットＲＮＣに移動させる。 
【００２２】
再割り当て委任メッセージを受信したターゲットＲＮＣは、ステップ２１８で、新規ＳＧＳＮに再割り当て検出（Relocation Detect）メッセージを伝送し、ＳＲＮＣ再割り当てが発生したことを知らせる。ステップ２２０で、ターゲットＲＮＣは、ＲＡＮ移動性情報（Mobility Information）メッセージを端末機に伝送して新たなＳＲＮＣ ｉｄ（即ち、ターゲットＲＮＣ ｉｄ）とＳＲＮＴＩ（Serving Radio Network Temporary Identifier）などを知らせる。ＲＡＮ移動性情報メッセージを受信した端末機は、アップリンクユーザデータをターゲットＲＮＣに伝送することができる。端末機は、ＲＡＮ移動性情報メッセージに含まれた情報を基盤にしてチャネル再構成を完了すれば、ステップ２２２で、ＲＡＮ移動性情報確認（Mobility Information Confirm）メッセージをターゲットＲＮＣに伝送する。ステップ２２２ａで、ターゲットＲＮＣは、ＲＡＮ移動性情報確認メッセージに応答して新規ＳＧＳＮにＳＲＮＣ再割り当てが終わったことを再割り当て完了（Relocation Complete）メッセージを通じて知らせる。
【００２３】
ステップ２２４で、新規ＳＧＳＮは、既存ＳＧＳＮにＳＲＮＣ再割り当てが終わったことを順方向再割り当て完了（Forward Relocation Complete）メッセージを利用して通報し、ステップ２２４ａで、既存ＳＧＳＮから順方向再割り当て完了承認（Forward Relocation Complete Acknowledge）メッセージを受信する。ステップ２２８で、既存ＳＧＳＮは、Ｉｕ解除命令（Iu Release Command）メッセージを通じてソースＲＮＣにＩｕインターフェース連結を解除することを指示し、ステップ２２８ａで、ソースＲＮＣからＩｕ解除完了メッセージを受信する。以後、新規ＳＧＳＮは、ユーザプレーン（user plane）をソースＲＮＣからターゲットＲＮＣにスイッチングし、ＧＧＳＮにＰＤＰコンテキストのアップデートを要請するＰＤＰコンテキスト更新要請（Update PDP Context Request）メッセージを伝送する。ステップ２２６で、ＰＤＰコンテキスト更新メッセージは、ＰＤＰコンテキストのアップデートを要請し、ステップ２２６ａで、ＧＧＳＮからＰＤＰコンテキスト更新応答（Update PDP Context Response）メッセージを受信する。
【００２４】
図３は、本発明の好ましい実施形態に係るＳＲＮＣ再割り当て手続を示すメッセージ流れ図である。ここで、参照番号３０１は、ＳＲＮＣ再割り当ての対象となる端末機を表し、参照番号３０２と３０３は、各々ターゲットＲＮＣとソースＲＮＣを表し、参照番号３０４は、ＳＲＮＣ再割り当てに関連したＭＳＣ／ＳＧＳＮを表す。図示した手続のステップ３１０は、図２のステップ２０２を表し、ステップ３３１は、図２のステップ２０４以降の一連の過程を表す。
【００２５】
図３を参照すれば、ステップ３１０で、ソースＲＮＣ３０３は、ＳＲＮＣ再割り当てを遂行することを決定する。ステップ３１１で、ソースＲＮＣ３０３は、ターゲットＲＮＣ３０２に、ＰＬＭＮリスト要請メッセージを伝送して、端末機３０１が位置しているターゲットセル内でブロードキャストされているＰＬＭＮ ｉｄを要請する。ＰＬＭＮリスト要請メッセージは、端末機３０１の識別子（ＵＥ ＩＤ）を含むことができる。
【００２６】
仮に、ネットワーク共有システムにおいて、ＲＮＣ制御下の全てのセルが同一なＣＮオペレータにより共有され、全てのセルでブロードキャストされる多重ＰＬＭＮリストが同一であれば、端末機３０１の識別子は多重ＰＬＭＮリスト要請メッセージに含まれないことがある。一方、ネットワーク共有システムにおいて、ＲＮＣ制御下の全てのセルが同一なＣＮオペレータにより共有されるのでなく、上記の全てのセルでブロードキャストされる多重ＰＬＭＮリストが異なると、ターゲットＲＮＣ３０２は、端末機３０１が位置しているターゲットセルを端末機３０１の識別子（ＩＤ）を通じて確認し、ターゲットセルからブロードキャストされる多重ＰＬＭＮリストを獲得する。
【００２７】
ステップ３１２で、ターゲットＲＮＣ３０２は、端末機３０１が進入しようとするターゲットセル内でブロードキャストされるＰＬＭＮ ｉｄを含む多重ＰＬＭＮリストと端末機識別子（ＩＤ）を含むＰＬＭＮリスト応答メッセージをソースＲＮＣ３０３に伝送する。ＰＬＭＮリスト要請及び応答メッセージは、ＲＮＣ３０２、３０３の間のＩｕｒインターフェースを通じて伝送される。
【００２８】
ステップ３２１で、ソースＲＮＣ３０３は、ＰＬＭＮリスト応答メッセージを通じて獲得した多重ＰＬＭＮリストを有効（Available）ＰＬＭＮ指示メッセージを通じて端末機３０１に通知する。有効ＰＬＭＮ指示メッセージは、Ｕｕインターフェース上の専用制御チャネル（Dedicated Control Channel：ＤＣＣＨ）を介して伝送される。有効ＰＬＭＮ指示メッセージは、ターゲットＲＮＣ３０２のターゲットセルでブロードキャストされる多重ＰＬＭＮリストを端末機３０１に提供してＰＬＭＮ選択を遂行するようにする。
【００２９】
ステップ３２２で、端末機３０１は、多重ＰＬＭＮリスト内のＰＬＭＮ ｉｄを基盤にしてＰＬＭＮ選択を遂行する。ステップ３２３で、端末機３０１は、多重ＰＬＭＮリストの中から選択したＰＬＭＮ ｉｄをソースＲＮＣ３０３に知らせるためにＤＣＣＨを介して上記選択したＰＬＭＮ ｉｄを含む選択（Chosen）ＰＬＭＮ指示メッセージをソースＲＮＣ３０３に伝送する。上記選択したＰＬＭＮ指示メッセージを受信したソースＲＮＣ３０３は、ステップ３３１でＳＲＮＣ再割り当てを遂行するにあたって、上記選択したＰＬＭＮ ｉｄを参照して端末機３０１のためのＣＮオペレータを選択する。
【００３０】
図４は、本発明の好ましい実施形態に係るソースＲＮＣの動作を示すフローチャートである。
図４を参照すれば、ステップ４０１で、ソースＲＮＣは、ＳＲＮＣ再割り当て遂行することを決定し、ステップ４０２で、ターゲットＲＣＮのターゲットセル内で、ブロードキャストされているＰＬＭＮ ｉｄを要請するために、ターゲットＲＮＣにＰＬＭＮリスト要請メッセージを伝送する。ＰＬＭＮリスト要請メッセージは、端末機識別子などを含む。ステップ４０３で、ソースＲＮＣは、ターゲットセル内でブロードキャストされているＰＬＭＮ ｉｄを含む多重ＰＬＭＮリストと端末機識別子を含むＰＬＭＮリスト応答メッセージをターゲットＲＮＣから受信する。
【００３１】
ステップ４０４で、ソースＲＮＣは、端末機にＤＣＣＨを介してＰＬＭＭ ｉｄを含む有効ＰＬＭＮ指示メッセージを伝送する。ステップ４０５で、ソースＲＮＣは、端末機から端末機が選択したＰＬＭＮ ｉｄを含む選択ＰＬＭＮ指示メッセージを受信する。ステップ４０６で、ソースＲＮＣは、上記選択したＰＬＭＮ ｉｄによって端末機に対するＣＮオペレータを選択し、ステップ４０７で、ＳＲＮＣ再割り当て手続を遂行する。
ターゲットＲＮＣは、ソースＲＮＣからＰＬＭＮリスト要請メッセージを受信すれば、端末機の現在のセルでブロードキャストされるＰＬＭＮ ｉｄに対する情報、即ち多重ＰＬＭＮリストを含むＰＬＭＮリスト応答メッセージをソースＲＮＣに伝送する。
【００３２】
図５は、本発明の好ましい実施形態に係る端末機の動作を示すフローチャートである。
図５を参照すれば、ステップ５０１で、ソースＲＮＣから端末機にターゲットセルのＰＬＭＮ ｉｄを含む有効ＰＬＭＮ指示メッセージが受信される。ステップ５０２で、端末機がＰＬＭＮ ｉｄを基盤にしてＰＬＭＮ選択を遂行して適した１つのＰＬＭＮ ｉｄを選択する。ＰＬＭＮ選択は、端末機のＡＳまたはＮＡＳ階層でなされる。一例として、端末機は予め定まるＣＮオペレータの優先度（priority）を参照して、最も高い優先度を有するＣＮオペレータのＰＬＭＮ ｉｄを選択する。本明細書において、適したＰＬＭＮ ｉｄの選択に対する詳細な説明は、本発明の要旨を曖昧にしないために省略する。ステップ５０３で、端末機は、上記選択したＰＬＭＮ ｉｄを含む選択ＰＬＭＮ指示メッセージをソースＲＮＣに伝送する。
【００３３】
以上、本発明の詳細な説明の欄においては具体的な実施形態について詳述したが、本発明はこれに限定されるものではなく、本発明の範囲を逸脱しない限り、各種の実施形態が提供可能である。よって、本発明の真の技術的な範囲は上述の実施形態によって定まるものではなく、特許請求の範囲とその均等物によって定まるべきである。
【図面の簡単な説明】
【００３４】
【図１】互いに異なるコアネットワークオペレータが無線アクセスネットワーク（ＲＡＮ）を共有するネットワーク共有（ＮＳ）システムの構造図である。
【図２】本発明に適用できるＳＲＮＣ再割り当てのシグナリングフローの一例を示す図である。
【図３】本発明の好ましい実施形態に係るＳＲＮＣ再割り当て手続を示すメッセージ流れ図である。
【図４】本発明の好ましい実施形態に係るソースＲＮＣの動作を示すフローチャートである。
【図５】本発明の好ましい実施形態に係る端末機の動作を示すフローチャートである。
【符号の説明】
【００３５】
１０２、１０４、１０６  コアネットワーク（ＣＮ）オペレータ
１１２、１１４、１１６  コアネットワーク（ＣＮ）ノード
１２０  無線アクセスネットワーク（ＲＡＮ）
１２２  セル
１３０  端末機
【図１】
2008523701.tif 000003
【図２】
2008523701.tif 000004
【図３】
2008523701.tif 000005
【図４】
2008523701.tif 000006
【図５】
2008523701.tif 000007
【国際調査報告】
2008523701.tif 000008
2008523701.tif 000009